(57)【要約】【課題】ＤＶＤプレーヤ内蔵ＴＶ受像機において、ＤＶＤのディスク挿入口がスロットインタイプの挿入口であり、かつ、ユーザが挿入口からＤＶＤを挿入することによりＤＶＤプレーヤ部の電源をオンにするという方法を採用した場合でも、ユーザが誤ってＤＶＤを二重挿ししてしまうことを防ぐ。【解決手段】電源キーがオンされたときに、ＤＶＤプレーヤ部の電源をオンにせず、テレビ部の電源のみをオンにし（Ｓ２１）、ユーザがディスク挿入口からＤＶＤを挿入することによりＤＶＤプレーヤ部の電源をオンにするという方法を採用した場合でも、マイクロプロセッサが、電源キーのオン時に電源が供給されるＥＥＰＲＯＭに記憶されたディスク有無情報に基いて、ディスクありのマークをモニタ画面上にＯＳＤ表示することができるので（Ｓ２２乃至Ｓ２４）、ユーザが誤ってＤＶＤを二重挿ししてしまうことを防ぐことができる。【選択図】図８
2006314015.tif 000002
【特許請求の範囲】
【請求項１】
アンテナを介して受信したテレビジョン放送信号の中から、ユーザにより設定入力されたチャンネルの放送信号の選局・復調を行って、映像・音声信号を出力するチューナと、
スロットインタイプのディスク挿入口と、このディスク挿入口からＤＶＤ（Digital Versatile Disc）が挿入されたことを検知するためのディスク検出センサとを有し、ＤＶＤの映像・音声信号を再生するＤＶＤプレーヤ部と、
前記チューナから出力された映像・音声信号と前記ＤＶＤプレーヤ部から出力された映像・音声信号の中から、どうちらか一方の映像・音声信号の選択指示操作を行うための信号選択指示手段と、
前記信号選択手段により選択された映像信号に基づいて原色信号を再生する色再生回路と、
前記色再生回路により再生された原色信号に文字等の映像信号を重畳させるオンスクリーンディスプレイ手段と、
前記色再生回路により再生された原色信号、又は前記オンスクリーンディスプレイ手段により文字等の映像信号を重畳させられた後の原色信号を表示するモニタと、
前記信号選択手段により選択された音声信号を出力するスピーカと、
前記信号選択手段により前記チューナから出力された映像・音声信号が選択されたときは、前記チューナから出力された映像・音声信号に基づく映像と音声とが前記モニタと前記スピーカとに出力されるように、信号の経路を切り替えると共に、前記信号選択手段により前記ＤＶＤプレーヤ部から出力された映像・音声信号が選択されたときは、前記ＤＶＤプレーヤ部から出力された映像・音声信号に基づく映像と音声とが前記モニタと前記スピーカとに出力されるように、信号の経路を切り替える信号切替手段と、
装置全体の制御を行う制御手段と、
装置の各部に電源を供給するための電源部と、
装置全体の電源スイッチとを備えた、ＤＶＤプレーヤ内蔵のテレビジョン受像機において、
前記ＤＶＤプレーヤ部内にＤＶＤがあるか否かの情報（ディスク有無情報）を記憶するためのディスク有無情報記憶手段をさらに備え、
前記制御手段は、
前記電源スイッチがオンにされたときに、前記のチューナ、色再生回路、オンスクリーンディスプレイ手段、モニタ、信号切替手段、制御手段、及びディスク有無情報記憶手段には、前記電源部からの電源を供給し、前記ＤＶＤプレーヤ部に前記電源部からの電源を供給せず、
前記ディスク挿入口からＤＶＤがＤＶＤプレーヤ部に挿入されたときに、前記ディスク検出センサから出力される検出信号に基づいて、ＤＶＤの挿入を検出して、前記電源部から前記ＤＶＤプレーヤ部への電源供給を開始すると共に、前記ディスク有無情報記憶手段に記憶されたディスク有無情報の内容をＤＶＤがあることを示す情報に書き変え、
前記ＤＶＤプレーヤ部からＤＶＤが取り出されたときに、前記ディスク有無情報記憶手段に記憶されたディスク有無情報の内容をＤＶＤがないことを示す情報に書き変え、
前記ディスク有無情報記憶手段に記憶されたディスク有無情報が、ＤＶＤがあることを示す情報のときには、ＤＶＤがあることを表す表示を前記オンスクリーンディスプレイ手段を用いて前記モニタに出力すると共に、前記ディスク検出センサへの電源の供給を停止し、ＤＶＤがないことを示す情報のときには、ＤＶＤがないことを表す表示を前記オンスクリーンディスプレイ手段を用いて前記モニタに出力すると共に、前記ディスク検出センサに前記電源部からの電源を供給することを特徴とするＤＶＤプレーヤ内蔵テレビジョン受像機。
【請求項２】
アンテナを介して受信したテレビジョン放送信号の中から、ユーザにより設定入力されたチャンネルの放送信号の選局・復調を行って、映像・音声信号を出力するチューナと、
スロットインタイプのディスク挿入口と、このディスク挿入口からＤＶＤ（Digital Versatile Disc）が挿入されたことを検知するためのディスク検出センサとを有し、ＤＶＤの映像・音声信号を再生するＤＶＤプレーヤ部と、
前記チューナから出力された映像・音声信号と前記ＤＶＤプレーヤ部から出力された映像・音声信号の中から、どうちらか一方の映像・音声信号の選択指示操作を行うための信号選択指示手段と、
前記信号選択手段により選択された映像信号に基づいて原色信号を再生する色再生回路と、
前記色再生回路により再生された原色信号に文字等の映像信号を重畳させるオンスクリーンディスプレイ手段と、
前記色再生回路により再生された原色信号、又は前記オンスクリーンディスプレイ手段により文字等の映像信号を重畳させられた後の原色信号を表示するモニタと、
前記信号選択手段により選択された音声信号を出力するスピーカと、
前記信号選択手段により前記チューナから出力された映像・音声信号が選択されたときは、前記チューナから出力された映像・音声信号に基づく映像と音声とが前記モニタと前記スピーカとに出力されるように、信号の経路を切り替えると共に、前記信号選択手段により前記ＤＶＤプレーヤ部から出力された映像・音声信号が選択されたときは、前記ＤＶＤプレーヤ部から出力された映像・音声信号に基づく映像と音声とが前記モニタと前記スピーカとに出力されるように、信号の経路を切り替える信号切替手段と、
装置全体の制御を行う制御手段と、
装置の各部に電源を供給するための電源部と、
装置全体の電源スイッチとを備えた、ＤＶＤプレーヤ内蔵のテレビジョン受像機において、
前記ＤＶＤプレーヤ部内にＤＶＤがあるか否かの情報（ディスク有無情報）を記憶し、前記電源スイッチがオンにされたときに電源が供給されるディスク有無情報記憶手段をさらに備え、
前記制御手段は、
前記ディスク挿入口からＤＶＤがＤＶＤプレーヤ部に挿入されたときに、前記ディスク有無情報記憶手段に記憶されたディスク有無情報の内容をＤＶＤがあることを示す情報に書き変え、
前記ＤＶＤプレーヤ部からＤＶＤが取り出されたときに、前記ディスク有無情報記憶手段に記憶されたディスク有無情報の内容をＤＶＤがないことを示す情報に書き変え、
前記ディスク有無情報記憶手段に記憶されたディスク有無情報が、ＤＶＤがあることを示す情報のときには、ＤＶＤがあることを表す表示を前記オンスクリーンディスプレイ手段を用いて前記モニタに出力し、ＤＶＤがないことを示す情報のときには、ＤＶＤがないことを表す表示を前記オンスクリーンディスプレイ手段を用いて前記モニタに出力することを特徴とするＤＶＤプレーヤ内蔵テレビジョン受像機。
【請求項３】
前記電源スイッチがオンにされたときに、前記のチューナ、色再生回路、オンスクリーンディスプレイ手段、モニタ、信号切替手段、制御手段、及びディスク有無情報記憶手段には、前記電源部からの電源を供給し、前記ＤＶＤプレーヤ部に前記電源部からの電源を供給しないようにしたことを特徴とする請求項２に記載のＤＶＤプレーヤ内蔵テレビジョン受像機。
【請求項４】
前記ディスク挿入口からＤＶＤがＤＶＤプレーヤ部に挿入されたときに、前記電源部から前記ＤＶＤプレーヤ部への電源供給を開始するようにしたことを特徴とする請求項３に記載のＤＶＤプレーヤ内蔵テレビジョン受像機。
【発明の詳細な説明】
【技術分野】
【０００１】
本発明は、ＤＶＤ（Digital Versatile Disc）プレーヤを内蔵したテレビジョン受像機に関する。
【背景技術】
【０００２】
従来のＤＶＤプレーヤ内蔵テレビジョン受像機では、装置全体の電源スイッチがオンにされたときに、テレビジョン受像機としての機能に係る回路（以下、テレビ部という）だけではなく、ＤＶＤプレーヤとしての機能に係る回路（以下、ＤＶＤプレーヤ部という）にも、電源が供給される。このため、従来のＤＶＤプレーヤ内蔵テレビジョン受像機は、装置全体の電源スイッチがオンにされた後は、ＤＶＤプレーヤ部に内蔵されたディスク検出センサを用いて、ＤＶＤプレーヤ部内にＤＶＤがあるか否かを検出し、ＤＶＤがあることを表す表示をモニタに出力することができる。従って、ＤＶＤのディスク挿入口が、ＤＶＤプレーヤ部内にＤＶＤがあるか否かを目視することができないスロットインタイプの挿入口である場合にも、ユーザが、誤ってＤＶＤを二重挿ししてしまうことを防ぐことができる。
【０００３】
ところが、上記のように、装置全体の電源スイッチがオンにされたときに、テレビ部とＤＶＤプレーヤ部の両方の電源をオンにする方法では、テレビジョン放送を視聴するときに、ＤＶＤプレーヤ部内の各回路から発せられる電磁波等の影響を受けて、チューナから出力される映像・音声信号にノイズがのり、モニタに表示されるテレビジョン放送の画像が乱れるという問題や、省電力化を図ることが難しいという問題があった。そこで、装置全体の電源スイッチがオンにされたときに、ＤＶＤプレーヤ部の電源をオンにせず、ユーザがＤＶＤモードを選択したときに限り、ＤＶＤプレーヤ部の電源をオンにするという方法が考えられる。この場合に、ユーザがＤＶＤモードを選択する操作としては、ユーザがリモコンや装置本体の操作ボタンを用いてテレビモードからＤＶＤモードに切り替えるという方法だけではなく、ユーザがスロットインタイプの挿入口からＤＶＤをＤＶＤプレーヤ部に挿入したときに、ＤＶＤプレーヤ部の電源をオンにするという方法が考えられる。この挿入口からＤＶＤを挿入することによりＤＶＤプレーヤ部の電源をオンにするという方法は、ユーザによるＤＶＤモードの選択操作を容易にするため、この方法を採用することが望ましい。
【０００４】
しかしながら、上記のように、ユーザが挿入口からＤＶＤを挿入することによりＤＶＤプレーヤ部の電源をオンにするという方法を採用した場合には、ＤＶＤをＤＶＤプレーヤ部内に挿入する時点では、ＤＶＤプレーヤ部に内蔵されたディスク検出センサに電源を供給することができないので、ＤＶＤプレーヤ部内にＤＶＤがあることを検出して、ＤＶＤがあることを表す表示をモニタに出力することができない。このため、ＤＶＤのディスク挿入口が、ＤＶＤプレーヤ部内を目視しにくいスロットインタイプの挿入口である場合には、ユーザが誤ってＤＶＤを二重挿ししてしまう場合があった。
【０００５】
ところで、ビデオテープレコーダ内蔵のテレビジョン受像機の分野において、ビデオカセットの挿入動作中及び取り出し動作中に、ビデオカセットの移動状況をイラストでＣＲＴ画面に表示するようにしたものが知られている（例えば、特許文献１参照）。また、ビデオテープレコーダの分野において、ビデオカセットがビデオテープレコーダに挿入されてから、挿入されたカセットのサイズ別の図形をビデオテープレコーダ内蔵のメモリより読み出して、ビデオテープレコーダの表示部にカセットの図形を表示するようにしたものが知られている（例えば、特許文献２参照）。さらにまた、表示装置の分野において、再生しようとするレコード盤をプレーヤに装着したときに、装着が完全になされたことを図形を使って画面上に表示するようにして、ユーザが直感的にレコードの装着状態を把握できるようにしたものが知られている（例えば、特許文献３参照）。
【０００６】
けれども、上記特許文献１乃至３に示される発明では、上記の問題を解決することができない。
【特許文献１】特開平７−１２１９５８号公報
【特許文献２】特開平５−１２０７７５号公報
【特許文献３】実開昭５８−５６３８３号公報
【発明の開示】
【発明が解決しようとする課題】
【０００７】
本発明は、上記の問題を解決するためになされたものであり、装置全体の電源スイッチがオンにされたときに、ＤＶＤプレーヤ部の電源をオンにせず、ユーザが挿入口からＤＶＤを挿入することによりＤＶＤプレーヤ部の電源をオンにするという方法を採用した場合でも、ＤＶＤがあることを表す表示をモニタに出力することができるようにして、ＤＶＤのディスク挿入口がスロットインタイプの挿入口である場合でも、ユーザが誤ってＤＶＤを二重挿ししてしまうことを防ぐことが可能なＤＶＤプレーヤ内蔵テレビジョン受像機を提供することを目的とする。
【課題を解決するための手段】
【０００８】
上記目的を達成するために請求項１の発明は、アンテナを介して受信したテレビジョン放送信号の中から、ユーザにより設定入力されたチャンネルの放送信号の選局・復調を行って、映像・音声信号を出力するチューナと、スロットインタイプのディスク挿入口と、このディスク挿入口からＤＶＤ（Digital Versatile Disc）が挿入されたことを検知するためのディスク検出センサとを有し、ＤＶＤの映像・音声信号を再生するＤＶＤプレーヤ部と、前記チューナから出力された映像・音声信号と前記ＤＶＤプレーヤ部から出力された映像・音声信号の中から、どうちらか一方の映像・音声信号の選択指示操作を行うための信号選択指示手段と、前記信号選択手段により選択された映像信号に基づいて原色信号を再生する色再生回路と、前記色再生回路により再生された原色信号に文字等の映像信号を重畳させるオンスクリーンディスプレイ手段と、前記色再生回路により再生された原色信号、又は前記オンスクリーンディスプレイ手段により文字等の映像信号を重畳させられた後の原色信号を表示するモニタと、前記信号選択手段により選択された音声信号を出力するスピーカと、前記信号選択手段により前記チューナから出力された映像・音声信号が選択されたときは、前記チューナから出力された映像・音声信号に基づく映像と音声とが前記モニタと前記スピーカとに出力されるように、信号の経路を切り替えると共に、前記信号選択手段により前記ＤＶＤプレーヤ部から出力された映像・音声信号が選択されたときは、前記ＤＶＤプレーヤ部から出力された映像・音声信号に基づく映像と音声とが前記モニタと前記スピーカとに出力されるように、信号の経路を切り替える信号切替手段と、装置全体の制御を行う制御手段と、装置の各部に電源を供給するための電源部と、装置全体の電源スイッチとを備えた、ＤＶＤプレーヤ内蔵のテレビジョン受像機において、前記ＤＶＤプレーヤ部内にＤＶＤがあるか否かの情報（ディスク有無情報）を記憶するためのディスク有無情報記憶手段をさらに備え、前記制御手段は、前記電源スイッチがオンにされたときに、前記のチューナ、色再生回路、オンスクリーンディスプレイ手段、モニタ、信号切替手段、制御手段、及びディスク有無情報記憶手段には、前記電源部からの電源を供給し、前記ＤＶＤプレーヤ部に前記電源部からの電源を供給せず、前記ディスク挿入口からＤＶＤがＤＶＤプレーヤ部に挿入されたときに、前記ディスク検出センサから出力される検出信号に基づいて、ＤＶＤの挿入を検出して、前記電源部から前記ＤＶＤプレーヤ部への電源供給を開始すると共に、前記ディスク有無情報記憶手段に記憶されたディスク有無情報の内容をＤＶＤがあることを示す情報に書き変え、前記ＤＶＤプレーヤ部からＤＶＤが取り出されたときに、前記ディスク有無情報記憶手段に記憶されたディスク有無情報の内容をＤＶＤがないことを示す情報に書き変え、前記ディスク有無情報記憶手段に記憶されたディスク有無情報が、ＤＶＤがあることを示す情報のときには、ＤＶＤがあることを表す表示を前記オンスクリーンディスプレイ手段を用いて前記モニタに出力すると共に、前記ディスク検出センサへの電源の供給を停止し、ＤＶＤがないことを示す情報のときには、ＤＶＤがな��ことを表す表示を前記オンスクリーンディスプレイ手段を用いて前記モニタに出力すると共に、前記ディスク検出センサに前記電源部からの電源を供給するものである。
【０００９】
請求項２の発明は、アンテナを介して受信したテレビジョン放送信号の中から、ユーザにより設定入力されたチャンネルの放送信号の選局・復調を行って、映像・音声信号を出力するチューナと、スロットインタイプのディスク挿入口と、このディスク挿入口からＤＶＤ（Digital Versatile Disc）が挿入されたことを検知するためのディスク検出センサとを有し、ＤＶＤの映像・音声信号を再生するＤＶＤプレーヤ部と、前記チューナから出力された映像・音声信号と前記ＤＶＤプレーヤ部から出力された映像・音声信号の中から、どうちらか一方の映像・音声信号の選択指示操作を行うための信号選択指示手段と、前記信号選択手段により選択された映像信号に基づいて原色信号を再生する色再生回路と、前記色再生回路により再生された原色信号に文字等の映像信号を重畳させるオンスクリーンディスプレイ手段と、前記色再生回路により再生された原色信号、又は前記オンスクリーンディスプレイ手段により文字等の映像信号を重畳させられた後の原色信号を表示するモニタと、前記信号選択手段により選択された音声信号を出力するスピーカと、前記信号選択手段により前記チューナから出力された映像・音声信号が選択されたときは、前記チューナから出力された映像・音声信号に基づく映像と音声とが前記モニタと前記スピーカとに出力されるように、信号の経路を切り替えると共に、前記信号選択手段により前記ＤＶＤプレーヤ部から出力された映像・音声信号が選択されたときは、前記ＤＶＤプレーヤ部から出力された映像・音声信号に基づく映像と音声とが前記モニタと前記スピーカとに出力されるように、信号の経路を切り替える信号切替手段と、装置全体の制御を行う制御手段と、装置の各部に電源を供給するための電源部と、装置全体の電源スイッチとを備えた、ＤＶＤプレーヤ内蔵のテレビジョン受像機において、前記ＤＶＤプレーヤ部内にＤＶＤがあるか否かの情報（ディスク有無情報）を記憶し、前記電源スイッチがオンにされたときに電源が供給されるディスク有無情報記憶手段をさらに備え、前記制御手段は、前記ディスク挿入口からＤＶＤがＤＶＤプレーヤ部に挿入されたときに、前記ディスク有無情報記憶手段に記憶されたディスク有無情報の内容をＤＶＤがあることを示す情報に書き変え、前記ＤＶＤプレーヤ部からＤＶＤが取り出されたときに、前記ディスク有無情報記憶手段に記憶されたディスク有無情報の内容をＤＶＤがないことを示す情報に書き変え、前記ディスク有無情報記憶手段に記憶されたディスク有無情報が、ＤＶＤがあることを示す情報のときには、ＤＶＤがあることを表す表示を前記オンスクリーンディスプレイ手段を用いて前記モニタに出力し、ＤＶＤがないことを示す情報のときには、ＤＶＤがないことを表す表示を前記オンスクリーンディスプレイ手段を用いて前記モニタに出力するものである。
【００１０】
請求項３の発明は、請求項２に記載のＤＶＤプレーヤ内蔵テレビジョン受像機において、前記電源スイッチがオンにされたときに、前記のチューナ、色再生回路、オンスクリーンディスプレイ手段、モニタ、信号切替手段、制御手段、及びディスク有無情報記憶手段には、前記電源部からの電源を供給し、前記ＤＶＤプレーヤ部に前記電源部からの電源を供給しないようにしたものである。
【００１１】
請求項４の発明は、請求項３に記載のＤＶＤプレーヤ内蔵テレビジョン受像機において、前記ディスク挿入口からＤＶＤがＤＶＤプレーヤ部に挿入されたときに、前記電源部から前記ＤＶＤプレーヤ部への電源供給を開始するようにしたものである。
【発明の効果】
【００１２】
請求項１の発明によれば、電源スイッチがオンにされたときに、チューナ、色再生回路、オンスクリーンディスプレイ手段、モニタ、信号切替手段、制御手段、及びディスク有無情報記憶手段には電源部からの電源を供給し、ＤＶＤプレーヤ部に電源部からの電源を供給しないようにした。これにより、電源スイッチがオンにされた直後に、テレビジョン放送を視聴するときに、ＤＶＤプレーヤ部内の各回路から発せられる電磁波等の影響を受けて、チューナから出力される映像・音声信号にノイズがのり、モニタに表示されるテレビジョン放送の画像が乱れるという問題を解消することができ、しかも、省電力化を図ることができる。
【００１３】
また、ディスク挿入口からＤＶＤがＤＶＤプレーヤ部に挿入されたときに、電源部からＤＶＤプレーヤ部への電源供給を開始するようにしたことにより、装置の操作性を高めることができる。さらにまた、上記のように、装置全体の電源スイッチがオンにされたときに、ＤＶＤプレーヤ部の電源をオンにせず、ユーザが挿入口からＤＶＤを挿入することによりＤＶＤプレーヤ部の電源をオンにするという方法を採用した場合でも、制御手段が、電源スイッチのオン時に電源が供給されるディスク有無情報記憶手段に記憶されたディスク有無情報に基いて、ＤＶＤプレーヤ部内にＤＶＤがあることを表す表示をモニタに出力することができるので、ユーザが誤ってＤＶＤを二重挿ししてしまうことを防ぐことができる。
【００１４】
請求項２の発明によれば、装置全体の電源スイッチがオンにされたときに、ＤＶＤプレーヤ部の電源をオンにせず、ユーザが挿入口からＤＶＤを挿入することによりＤＶＤプレーヤ部の電源をオンにするという方法を採用した場合でも、制御手段が、電源スイッチのオン時に電源が供給されるディスク有無情報記憶手段に記憶されたディスク有無情報に基いて、ＤＶＤプレーヤ部内にＤＶＤがあることを表す表示をモニタに出力することができるので、ユーザが誤ってＤＶＤを二重挿ししてしまうことを防ぐことができる。
【００１５】
請求項３の発明によれば、電源スイッチがオンにされたときに、チューナ、色再生回路、オンスクリーンディスプレイ手段、モニタ、信号切替手段、制御手段、及びディスク有無情報記憶手段には電源部からの電源を供給し、ＤＶＤプレーヤ部に電源部からの電源を供給しないようにした。これにより、電源スイッチがオンにされた直後に、テレビジョン放送を視聴するときに、ＤＶＤプレーヤ部内の各回路から発せられる電磁波等の影響を受けて、チューナから出力される映像・音声信号にノイズがのり、モニタに表示されるテレビジョン放送の画像が乱れるという問題を解消することができ、しかも、省電力化を図ることができる。
【００１６】
請求項４の発明によれば、ディスク挿入口からＤＶＤがＤＶＤプレーヤ部に挿入されたときに、電源部からＤＶＤプレーヤ部への電源供給を開始するようにしたことにより、装置の操作性を高めることができる。
【発明を実施するための最良の形態】
【００１７】
本発明を実施するための最良の形態について図面を参照して説明する。本発明は、ＤＶＤ（Digital Versatile Disc）プレーヤを内蔵したテレビジョン受像機に関するものである。以下の実施形態では、スロットインタイプのディスク挿入口を有するＤＶＤプレーヤ内蔵テレビジョン受像機に本発明を適用した場合の例について説明する。なお、以下に記載した実施形態は、本発明を網羅するものではなく、本発明は、下記の形態だけに限定されない。
【００１８】
図１は、第１の実施形態によるＤＶＤプレーヤ内蔵テレビジョン受像機１（以下、ＤＶＤプレーヤ内蔵ＴＶ受像機という）の外観を示す。図に示されるように、ＤＶＤプレーヤ内蔵ＴＶ受像機１は、装置本体の右側部に、スロットインタイプのディスク挿入口３を有しており、このディスク挿入口３からＤＶＤ１０がＤＶＤプレーヤ部２（図２参照）内に挿入されたときに、ＤＶＤモードに移行して、ＤＶＤプレーヤ部２の電源をオンにする。
【００１９】
図２は、上記ＤＶＤプレーヤ内蔵ＴＶ受像機１の電気的ブロック構成を示す。ＤＶＤプレーヤ内蔵ＴＶ受像機１は、アンテナ２０を介して受信したテレビジョン放送信号の中から、ユーザにより設定入力されたチャンネルの放送信号の選局・復調を行って、映像・音声信号を出力するチューナ６と、チューナ６で取り出された映像と音声の中間周波信号を増幅する映像中間周波増幅回路７と、ＤＶＤ映像・音声信号の再生を行うＤＶＤプレーヤ部２とを有している。また、ＤＶＤプレーヤ内蔵ＴＶ受像機１は、装置全体の制御を行うマイクロプロセッサ４（制御手段）と信号制御回路５（信号切替手段）とを有している。信号制御回路５は、インプットセレクタの機能を持ち、上記の映像中間周波増幅回路７、ＤＶＤプレーヤ部２、及び外部入力端子８から入力された映像・音声信号のうち、リモコン３（信号選択指示手段）を用いてユーザにより選択された特定の種類の映像・音声信号に基づく映像と音声とが、モニタ１５とスピーカ１７とに出力されるように、信号の経路を切り替える。
【００２０】
さらにまた、ＤＶＤプレーヤ内蔵ＴＶ受像機１は、信号制御回路５から送られた映像信号に基づいて原色信号を再生する色再生回路１１と、この色再生回路１１により再生された原色信号に文字情報等の映像信号を重畳させるオンスクリーンディスプレイ部１４（以下、ＯＳＤ部という）と、信号制御回路５から送られた音声信号を増幅して、スピーカ１７に出力する音声回路１２とを有している。ＯＳＤ部１４により重畳させられる映像信号には、ＤＶＤプレーヤ部２内にＤＶＤ１０があることを表すマーク（図６中の４２参照）や、ＤＶＤプレーヤ部２内にＤＶＤ１０がないことを表すマーク（図７中の４３参照）が含まれる。ＯＳＤ部１４は、請求項におけるオンスクリーンディスプレイ手段に相当する。
【００２１】
ＤＶＤプレーヤ内蔵ＴＶ受像機１は、上記の各部材に加えて、ＥＥＰＲＯＭ１３（ディスク有無情報記憶手段）と、リモコン信号受信部１８と、装置の各部に電源を供給するための電源部１９とを有している。ＥＥＰＲＯＭ１３は、ＤＶＤプレーヤ部２内にＤＶＤ１０があるか否かの情報（ディスク有無情報）や、ＯＳＤ部１４により色信号に重畳させられるメッセージ等の各種データ、及びマイクロプロセッサ４により実行される各種プログラムを記憶している。また、リモコン信号受信部１８は、リモコン３から送信された赤外線信号を受信する。
【００２２】
上記のリモコン３は、各種のキーからなるキー部３４と赤外線信号発信部３１とを有している。キー部３４には、電源キー３３（請求項における電源スイッチ）、数字入力用のキー３５、カーソル移動キー３６及び確定キー３７に加えて、各種メニューを表示するためのメニューキー３２が配設されている。ユーザは、上記のメニューキー３２とカーソル移動キー３６と確定キー３７とを用いることにより、映像中間周波増幅回路７、ＤＶＤプレーヤ部２、及び外部入力端子８から入力された映像・音声信号の中から、再生対象となる一種類の映像・音声信号の選択操作を行うことができる。
【００２３】
図３は、上記ＤＶＤプレーヤ部２の電気的ブロック構成を示す。ＤＶＤプレーヤ部２は、主に、ＤＶＤ１０を所定位置にセットするディスクローダ２１と、このディスクローダ２１より送られた、ＤＶＤ１０からの読取信号を処理するためのディジタル基板２２と、ディスク挿入口３からＤＶＤ１０が挿入されたことを検知するためのディスク検出センサ２３とから構成されている。ディスク検出センサ２３による検出信号は、装置全体を制御するマイクロプロセッサ４へ出力される。
【００２４】
上記のディスクローダ２１は、ＤＶＤ１０を回転駆動するためのスピンドルモータ２５と、ＤＶＤ１０に対して光ビームを照射してデータの記録及び再生を行う光ピックアップ２６と、光ピックアップ２６を読出位置に対応させて移動させるためのフィードモータ２４とから構成されている。また、ディジタル基板２２は、主に、光ピックアップ２６から送られた信号をビットストリームに変換するためのフロントエンドプロセッサとＭＰＥＧ復調回路とシステム制御用マイクロプロセッサとを集積したシステムＬＳＩ２７と、フィードモータ２４、スピンドルモータ２５、及び光ピックアップ２６に対して駆動信号を出力するモータドライバ２８とから構成されている。
【００２５】
図４は、上記ディスク検出センサ２３によるＤＶＤ１０の検出方法を示す。ディスク検出センサ２３は、受光部２６と投光部２７とから構成されている。マイクロプロセッサ４は、投光部２７から発した光が、ミラー２８で反射して、受光部２６により受光されたときは、ディスク検出センサ２３から出力される信号に基づいて、ＤＶＤプレーヤ部２内にＤＶＤ１０がないと検出する。これに対して、投光部２７から発した光が、遮光されて受光部２６により受光されなかったときは、ディスク検出センサ２３から出力される信号に基づいて、ＤＶＤプレーヤ部２内にＤＶＤ１０がある（ＤＶＤ１０が挿入された）と検出する。
【００２６】
次に、図５のフローチャートを参照して、上記ＤＶＤプレーヤ内蔵ＴＶ受像機１のＤＶＤプレーヤ部２へのＤＶＤ１０挿入時における処理について説明する。このＤＶＤプレーヤ内蔵ＴＶ受像機１が、モニタ１５にチューナ６で選局したテレビジョン放送の画像を表示しているとき（テレビモードのとき）には、マイクロプロセッサ４は、ＤＶＤプレーヤ部２に電源部１９からの電源を供給しない。そして、ＤＶＤプレーヤ内蔵ＴＶ受像機１のモードが、モニタ１５にＤＶＤプレーヤ部２から送られた映像を表示するモード（ＤＶＤモード）に切り替えられると、ＤＶＤプレーヤ部２に電源部１９からの電源が供給される。ＤＶＤモードへの切り替え方法は、ディスク挿入口３からＤＶＤ１０をＤＶＤプレーヤ部２に挿入することによりＤＶＤモードへ切り替える方法（第１の方法）と、リモコン３を用いてＤＶＤモードへ切り替える方法（第２の方法）とがある。
【００２７】
まず、上記第１の方法によりＤＶＤモードへ切り替えた場合の処理について、具体的に説明する。ユーザが、ディスク挿入口３からＤＶＤ１０をＤＶＤプレーヤ部２に挿入すると（Ｓ１でＹＥＳ）、マイクロプロセッサ４は、ディスク検出センサ２３から出力される検出信号に基づいて、ＤＶＤ１０の挿入を検出して、装置のモードをテレビモードからＤＶＤモードへ自動的に切り替えると共に（Ｓ２）、ＤＶＤプレーヤ部２の電源をオンにする（電源部１９からの電源供給を開始する）（Ｓ３）。そして、ＥＥＰＲＯＭ１３に記憶されたディスク有無フラグ（請求項におけるディスク有無情報）を、１（オン）（請求項における「ＤＶＤがあることを示す情報」）に書き変えて（Ｓ７）、図６に示されるように、ディスクありのマーク４２（請求項における「ＤＶＤがあることを表す表示」）をモニタ１５の画面４１上にＯＳＤ表示する（Ｓ８）と共に、ディスク検出センサ２３への電源の供給を停止する（ディスク検出センサ２３の電源をオフにする）（Ｓ９）。なお、このように、ディスク検出センサ２３の電源をオフにする理由は、ディスク有無フラグが１になっているときには、このディスク有無フラグのみに基いてディスクありのマーク４２を表示することができるし、ＤＶＤ１０がディスク挿入口３から挿入されたことを検知する必要もないので、節電のためにはディスク検出センサ２３の電源をオフにするのが好ましいからである。
【００２８】
次に、上記第２の方法によりＤＶＤモードへ切り替えた場合の処理について、具体的に説明する。ユーザが、リモコン３のメニューキー３２と確定キー３７とを用いてＤＶＤモードへ切り替えるように指示すると（Ｓ４でＹＥＳ）、マイクロプロセッサ４は、装置のモードをテレビモードからＤＶＤモードへ自動的に切り替えると共に、ＤＶＤプレーヤ部２の電源をオンにする（電源部１９からの電源供給を開始する）（Ｓ５）。そして、ユーザが、ディスク挿入口３からＤＶＤ１０をＤＶＤプレーヤ部２に挿入すると（Ｓ６でＹＥＳ）、マイクロプロセッサ４は、上記Ｓ７乃至Ｓ９と同様な処理を行う。
【００２９】
次に、ユーザが、リモコン３を用いてＤＶＤ１０の再生の指示操作を行うと、マイクロプロセッサ４は、ＤＶＤプレーヤ部２に対してＤＶＤ１０の再生処理を開始するように指示する（Ｓ１０）と共に、信号制御回路５に対して、ＤＶＤプレーヤ部２から出力された映像・音声信号に基く映像と音声とをモニタ１５とスピーカ１７とに出力するように指示する。
【００３０】
上記のＤＶＤ１０の再生処理が終了した後に、ユーザが、リモコン３の電源キー３３を用いて、装置全体の電源オフを指示すると（Ｓ１１でＹＥＳ）、マイクロプロセッサ４は、テレビ部（ＤＶＤプレーヤ内蔵ＴＶ受像機１本体におけるＤＶＤプレーヤ部２以外の部分）とＤＶＤプレーヤ部２の両方の電源をオフにする（Ｓ１６）。
【００３１】
また、上記Ｓ１１の判定処理において、ユーザが、装置全体の電源オフを指示しないで（Ｓ１１でＮＯ）、ＤＶＤ１０の取り出しを指示した場合には（Ｓ１２でＹＥＳ）、ＥＥＰＲＯＭ１３に記憶されたディスク有無フラグ（請求項におけるディスク有無情報）を、０（オフ）（請求項における「ＤＶＤがないことを示す情報」）に書き変えて（Ｓ１３）、図７に示されるように、ディスクなしのマーク４３（請求項における「ＤＶＤがないことを表す表示」）をモニタ１５の画面４１上にＯＳＤ表示する（Ｓ１４）と共に、ディスク検出センサ２３に電源部１９からの電源の供給を開始する（ディスク検出センサ２３の電源をオンにする）（Ｓ１５）。なお、このように、ディスク検出センサ２３の電源をオンにする理由は、ＤＶＤプレーヤ部２内にＤＶＤ１０がセットされていないときには、ＤＶＤ１０がディスク挿入口３から挿入される可能性があるので、ＤＶＤ１０の挿入を検知する必要があるからである。
【００３２】
上記Ｓ６の判定処理において、ユーザが、ＤＶＤ１０をＤＶＤプレーヤ部２に挿入しないで（Ｓ６でＮＯ）、リモコン３の電源キー３３を用いて装置全体の電源オフを指示すると（Ｓ１７でＹＥＳ）、マイクロプロセッサ４は、上記Ｓ１６の処理を行う。また、ユーザが、上記Ｓ１７の判定処理で装置全体の電源オフを指示しないで（Ｓ１７でＮＯ）、リモコン３を用いてテレビモードに切り替えると（Ｓ１８でＹＥＳ）、マイクロプロセッサ４は、ＤＶＤプレーヤ部２の電源をオフにする（Ｓ１９）。
【００３３】
次に、図８のフローチャートを参照して、上記ＤＶＤプレーヤ内蔵ＴＶ受像機１の電源オン時における処理について説明する。ユーザが、リモコン３の電源キー３３を用いて、装置全体の電源オンを指示すると、マイクロプロセッサ４は、上記のテレビ部（請求項におけるチューナ、色再生回路、オンスクリーンディスプレイ手段、モニタ、信号切替手段、制御手段、及びディスク有無情報記憶手段）には、電源部１９からの電源供給を開始し（テレビ部の電源をオンにし）（Ｓ２１）、ＤＶＤプレーヤ部２には電源部１９からの電源供給を行わない。そして、マイクロプロセッサ４は、ＥＥＰＲＯＭ１３に記憶されたディスク有無フラグを読み込んで（Ｓ２２）、ディスク有無フラグが１（オン）、すなわちＤＶＤプレーヤ部２にＤＶＤ１０がセットされている場合には（Ｓ２３でＹＥＳ）、上記のディスクありのマーク４２をモニタ１５の画面４１上にＯＳＤ表示する（Ｓ２４）。これに対して、ディスク有無フラグが０（オフ）、すなわちＤＶＤプレーヤ部２にＤＶＤ１０がセットされていない場合には（Ｓ２３でＮＯ）、マイクロプロセッサ４は、上記のディスクなしのマーク４３をモニタ１５の画面４１上にＯＳＤ表示（Ｓ２５）すると共に、ディスク検出センサ２３に電源部１９からの電源を供給する（ディスク検出センサ２３の電源をオンにする）（Ｓ２６）。
【００３４】
上記のように、本実施形態によるＤＶＤプレーヤ内蔵ＴＶ受像機１によれば、リモコン３の電源キー３３がオンされたときに、テレビ部（チューナ６、色再生回路１１、ＯＳＤ部１４、モニタ１５、信号制御回路５、マイクロプロセッサ４、及びＥＥＰＲＯＭ１３）には電源部１９からの電源を供給し、ＤＶＤプレーヤ部２には電源部１９からの電源を供給しないようにした。これにより、電源キー３３がオンされた直後に、ユーザがテレビジョン放送を視聴するときに、ＤＶＤプレーヤ部２内の各回路から発せられる電磁波等の影響を受けて、チューナ６から出力される映像・音声信号にノイズがのり、モニタ１５に表示されるテレビジョン放送の画像が乱れるという問題を解消することができ、しかも、省電力化を図ることができる。
【００３５】
また、ディスク挿入口３からＤＶＤ１０がＤＶＤプレーヤ部２に挿入されたときに、電源部１９からＤＶＤプレーヤ部２への電源供給を開始するようにしたことにより、装置の操作性を高めることができる。さらにまた、上記のように、装置全体の電源スイッチ（電源キー３３）がオンにされたときに、ＤＶＤプレーヤ部２の電源をオンにせず、ユーザがディスク挿入口３からＤＶＤ１０を挿入することによりＤＶＤプレーヤ部２の電源をオンにするという方法を採用した場合でも、マイクロプロセッサ４が、電源キー３３のオン時に電源が供給されるＥＥＰＲＯＭ１３に記憶されたディスク有無情報に基いて、ＤＶＤプレーヤ部２内にＤＶＤ１０があることを表す表示（ディスクありのマーク４２）をモニタ１５に出力することができるので、ユーザが誤ってＤＶＤ１０を二重挿ししてしまうことを防ぐことができる。
【００３６】
なお、本発明は、上記実施形態に限られるものではなく、様々な変形が可能である。例えば、上記の各実施形態では、電源キーがオンされたときに、テレビ部にのみ電源を供給し、ＤＶＤプレーヤ部に電源を供給しないようにしたが、電源キーがオンされたときに、テレビ部とＤＶＤプレーヤ部の両方に電源の供給を開始するようにしてもよい。また、上記の実施形態では、ディスク有無フラグが０（オフ）、すなわちＤＶＤプレーヤ部にＤＶＤがセットされていない場合に限り、ディスク検出センサの電源をオンにしたが、ＤＶＤプレーヤ部にＤＶＤがセットされている場合にも、ディスク検出センサの電源をオンにしてもよい。
【図面の簡単な説明】
【００３７】
【図１】本発明の一実施形態によるＤＶＤプレーヤ内蔵テレビジョン受像機の外観を示す正面図。
【図２】上記ＤＶＤプレーヤ内蔵テレビジョン受像機の電気的ブロック構成図。
【図３】図２中のＤＶＤプレーヤ部の電気的ブロック構成図。
【図４】図３中のディスク検出センサによるＤＶＤの検出方法の説明図。
【図５】上記ＤＶＤプレーヤ内蔵テレビジョン受像機のＤＶＤプレーヤ部へのＤＶＤ挿入時における処理のフローチャート。
【図６】上記ＤＶＤプレーヤ内蔵テレビジョン受像機のモニタ画面上にＯＳＤ表示されるディスクありのマークを示す図。
【図７】上記ＤＶＤプレーヤ内蔵テレビジョン受像機のモニタ画面上にＯＳＤ表示されるディスクなしのマークを示す図。
【図８】上記ＤＶＤプレーヤ内蔵テレビジョン受像機の電源オン時における処理のフローチャート。
【符号の説明】
【００３８】
１    ＤＶＤプレーヤ内蔵ＴＶ受像機
２    ＤＶＤプレーヤ部
３    リモコン（信号選択指示手段）
４    マイクロプロセッサ（制御手段）
５    信号制御回路（信号切替手段）
６    チューナ
１１  色再生回路
１３  ＥＥＰＲＯＭ（ディスク有無情報記憶手段）
１４  ＯＳＤ部（オンスクリーンディスプレイ手段）
１５  モニタ
１７  スピーカ
１９  電源部
２３  ディスク検出センサ
３３  電源キー（電源スイッチ）
４２  マーク（ＤＶＤがあることを表す表示）
４３  マーク（ＤＶＤがないことを表す表示）
【図１】
2006314015.tif 000003
【図２】
2006314015.tif 000004
【図３】
2006314015.tif 000005
【図４】
2006314015.tif 000006
【図５】
2006314015.tif 000007
【図６】
2006314015.tif 000008
【図７】
2006314015.tif 000009
【図８】
2006314015.tif 000010